(57)【特許請求の範囲】
【請求項１】
冷蔵庫の冷却空間の前部に仕切り体を左右方向に架設して、該冷却空間を上下に仕切る冷蔵庫の仕切り構造において、
前記仕切り体が、扉内板外周のガスケットと当接する前板と、前板の後面に当接配置された露付き防止用の熱源と、熱源の背後に配された断熱材と、断熱材の上下面及び後面を覆う仕切りカバーと、仕切りカバーの下部に取り付けられてスロート部をシールするヒレ状のシール材とを備えてなり、
前記仕切りカバーが前記シール材を係止する係止爪を備え、この係止爪を前記仕切りカバーの下面と略同一平面上に配置し、その上方の係止爪内側に前記シール材の取付基部が差し込まれる差し込み部を設け、この差し込み部に前記取付基部を差し込んで前記シール材を仕切りカバーに取り付けた
ことを特徴とする冷蔵庫の仕切り構造。
【請求項２】
冷蔵庫の冷却空間を水平な仕切壁で上下に仕切る仕切り構造であって、
該仕切壁が、冷蔵庫本体の内箱によって形成され内部に断熱材が発泡充填された仕切壁本体と、その前方に架設された前記仕切り体とからなる
ことを特徴とする請求項１記載の冷蔵庫の仕切り構造。
【請求項３】
前記係止爪が後方に突出し、その差し込み部に前記シール材の前記取付基部が後方から差し込まれた
ことを特徴とする請求項１記載の冷蔵庫の仕切り構造。
【請求項４】
冷蔵庫の冷却空間の前部に仕切り体を左右方向に架設して、該冷却空間を上下に仕切る冷蔵庫の仕切り構造において、
前記仕切り体が、扉内板外周のガスケットと当接する前板と、前板の後面に当接配置された露付き防止用の熱源と、熱源の背後に配された断熱材と、断熱材の上下面及び後面を覆う仕切りカバーとを備えてなり、
前記仕切り体の上側の冷却室に、当該冷却室の前面を閉塞する扉の開動作に伴って引き出される収納容器を配し、
前記仕切りカバーの上面に、左右方向に延びる冷気遮蔽用リブを立設し、
前記上側の冷却室の扉内板に、前記冷気遮蔽用リブとの間をシールするヒレ状のシール材を取り付け、
前記冷気遮蔽用リブの長手方向中央部を両端部に対して低くした
ことを特徴とする冷蔵庫の仕切り構造。
【発明の詳細な説明】
【０００１】
【発明の属する技術分野】
本発明は、冷蔵庫の冷却空間を仕切る仕切り構造に関するものである。
【０００２】
【従来の技術】
従来の冷蔵庫の仕切り構造を図６に基づいて説明する。この従来の仕切り構造は、温度帯の異なる２室である冷蔵室１００と冷凍室１０１とを水平な仕切壁１０２で上下に仕切る構造である。仕切壁１０２は、冷蔵庫本体の内箱１０３によって形成され内部に断熱材１０４が充填発泡された仕切壁本体１０５と、その前方に左右方向に架設された仕切り体１０６とからなる。仕切り体１０６は、扉１０７，１０８のガスケット１０９と当接する前板１１０と、前板１１０の背後に配された防露パイプ１１１と、防露パイプ１１１の背後に配された断熱材１１２と、断熱材１１２を後方から覆う仕切りカバー１１３とで構成されている。
【０００３】
この仕切り構造において、仕切りカバー１１３の下面には、ガスケット１０９周辺から庫内側への熱の侵入を防止するために、扉１０８の背面に設けられた凸状部１１４と当接してスロート部１１５をシールするヒレ状のシール材１１６が取り付けられている。このシール材１１６は、仕切りカバー１１３の下面から下方に突出した形で設けられた係止爪１２０により係止されている。また、仕切りカバー１１３の上面には、左右方向に延びる冷気遮蔽用リブ１１７が設けられ、扉１０７の背面にはこのリブ１１７と当接してスロート部１１８をシールするヒレ状のシール材１１９が取り付けられている。以上により、この仕切り構造においては、仕切り体１０６の周囲に庫内循環冷気から分離された空気空間を形成し、断熱性を高めている。
【０００４】
【発明が解決しようとする課題】
仕切壁本体１０５の内部にはウレタンを充填発泡することで断熱材１０４が形成され、その発泡の際、一般には、発泡圧による内箱１０３の変形を防止するために、治具により内箱の壁面を押さえている。
【０００５】
しかしながら、上記従来の仕切り構造においては、仕切り体１０６の下側にシール材１１６を取り付けるための係止爪１２０が、仕切りカバー１１３の下面から下方に突出した形で設けられているため、ウレタン発泡時に、係止爪１２０の後方に位置する内箱１０５壁面を治具で押さえることができない。すなわち、係止爪１２０が突出していることから、治具にはこの係止爪１２０を避けるように前後方向に延びる凹溝を設ける必要があり、この凹溝部分では内箱面を押さえることができない。そのため、係止爪１２０の後方において内箱１０５が発泡圧により変形し、外観の悪化を起こすという問題がある。
【０００６】
また、係止爪１２０が仕切りカバー１１３の下面から下方に突出していることから、仕切り体１０１の下側の冷凍室１０１に配された収納容器１２１の高さがその分制限され、食品収納量が減少してしまうという問題がある。
【０００７】
そこで、本発明では、仕切り体の下側の冷却室における食品収納量の減少を抑えるとともに、仕切壁本体の断熱材の充填発泡時における内箱の変形を抑制することを第１の課題とする。
【０００８】
一方、上記従来の仕切り構造において、上側の冷蔵室１００に配された収納容器１２２では、食品収納時の負荷により底面がクリープ変形Ｘして幅方向中央部が垂れ下がり、収納容器１２２の底面と仕切り体１０６のリブ１１７との間のクリアランスが減少してしまう。そのため、従来は、収納容器１２２の底面をクリープ変形による変形量を加味した位置まで持ち上げている。しかしながら、収納容器１２２の底面を持ち上げると、その分食品収納容積が減少してしまう。
【０００９】
そこで、本発明では、仕切り体の上面に冷気遮蔽用リブを備え、扉内板にこのリブとの間をシールするシール材を取り付けた仕切り構造において、上側の冷却室に配された収納容器と冷気遮蔽用リブとの接触を防止しながら、収納容器の容積を減少を抑えることを第２の課題とする。
【００１０】
【課題を解決するための手段】
上記第１の課題を解決する本発明の第１の冷蔵庫の仕切り構造は、冷蔵庫の冷却空間の前部に仕切り体を左右方向に架設して、該冷却空間を上下に仕切る冷蔵庫の仕切り構造において、前記仕切り体が、扉内板外周のガスケットと当接する前板と、前板の後面に当接配置された露付き防止用の熱源と、熱源の背後に配された断熱材と、断熱材の上下面及び後面を覆う仕切りカバーと、仕切りカバーの下部に取り付けられてスロート部をシールするヒレ状のシール材とを備えてなり、前記仕切りカバーが前記シール材を係止する係止爪を備え、この係止爪を前記仕切りカバーの下面と略同一平面上に配置し、その上方の係止爪内側に前記シール材の取付基部が差し込まれる差し込み部を設け、この差し込み部に前記取付基部を差し込んで前記シール材を仕切りカバーに取り付けたものである。
【００１１】
この仕切り構造であると、シール材を係止する係止爪が、仕切りカバーの下面と略同一平面上に設定され、該下面から突出していないので、仕切り体に対して下側の冷却室の前面開口を大きく確保することができる。特に、該下側の冷却室が扉の開動作に伴って引き出される収納容器を備える引き出し式の冷却室の場合、該収納容器の高さを高くして食品収納量を向上することができる。
【００１２】
上記第１の仕切り構造は、冷蔵庫の冷却空間を水平な仕切壁で上下に仕切る仕切り構造であって、該仕切壁が、冷蔵庫本体の内箱によって形成され内部に断熱材が発泡充填された仕切壁本体と、その前方に架設された前記仕切り体とからなる仕切り構造に適用した場合に、特に効果的である。上記第１の仕切り構造であれば、仕切りカバーの下面から係止爪が突出していないため、仕切壁本体の断熱材の充填発泡時に係止爪の後方でも治具で内箱を押さえることができ、発泡圧による内箱の変形を抑制することができるからである。
【００１３】
上記第１の仕切り構造においては、前記係止爪が後方に突出し、その差し込み部に前記シール材の前記取付基部が後方から差し込まれていることが好適である。この場合、シール材を手前に引いて係止爪に取り付けることになるので、取り付け時の力を小さくすることができ、容易に取り付けることができる。
【００１４】
上記第２の課題を解決する本発明の第２の冷蔵庫の仕切り構造は、冷蔵庫の冷却空間の前部に仕切り体を左右方向に架設して、該冷却空間を上下に仕切る冷蔵庫の仕切り構造において、前記仕切り体が、扉内板外周のガスケットと当接する前板と、前板の後面に当接配置された露付き防止用の熱源と、熱源の背後に配された断熱材と、断熱材の上下面及び後面を覆う仕切りカバーとを備えてなり、前記仕切り体の上側の冷却室に、当該冷却室の前面を閉塞する扉の開動作に伴って引き出される収納容器を配し、前記仕切りカバーの上面に、左右方向に延びる冷気遮蔽用リブを立設し、前記上側の冷却室の扉内板に、前記冷気遮蔽用リブとの間をシールするヒレ状のシール材を取り付け、前記冷気遮蔽用リブの長手方向中央部を両端部に対して低くしたものである。
【００１５】
上側の冷却室の収納容器は、食品収納時の負荷によって底面がクリープ変形して幅方向中央部が垂れ下がってくるが、そのような場合でも、この仕切り構造であると、仕切りカバー上面の冷気遮断用リブが冷蔵庫の幅方向中央部で低く設定されているため、垂れ下がった収納容器の底面と仕切り体の冷気遮蔽用リブとが接触しない。そのため、従来のように変形量を加味して収納容器の底面を持ち上げる必要がなく、その分、該収納容器における食品収納容積を向上することができる。
【００１６】
【発明の実施の形態】
以下、本発明の一実施形態に係る冷蔵庫の仕切り構造について図面に基づいて説明する。
【００１７】
図１は、実施形態に係る仕切り構造の要部拡大断面図、図２は、同仕切り構造を含む冷蔵庫内部の要部正面図である。
【００１８】
この実施形態の仕切り構造は、図５に示すような冷蔵庫１０に採用されるものである。冷蔵庫１０は、上から、冷蔵室１２、野菜室１４、第１冷凍室１６、第２冷凍室１８を備え、冷蔵室１２と野菜室１４からなる上側の冷蔵空間と第１及び第２冷凍室１６，１８からなる下側の冷凍空間とが水平な断熱仕切壁２０で仕切られている。冷蔵室１２と野菜室１４とは、前面開口部において左右方向に架設された仕切り体２２により上下に仕切られており、同様に、第１冷凍室１６と第２冷凍室１８との間も、前面開口部において左右方向に架設された仕切り体２４により上下に仕切られている。
【００１９】
野菜室１４内には引き出し式の収納容器２６が配され、該収納容器２６が野菜室扉１５の開動作に伴って前方に引き出されるように構成されている。同様に、第１冷凍室１６にも引き出し式の収納容器２８が配され、その前方の扉１７の開動作に伴って引き出されるように構成されている。なお、図２に示すように、第１冷凍室１６は、中間仕切２７により左右に分割され、向かって右側に上記収納容器２８が配され、左側には製氷室１９が設けられている。
【００２０】
本実施形態は、仕切壁２０により温度帯の異なる冷蔵空間と冷凍空間とを上下に仕切る仕切り構造に関するものであり、以下、この仕切壁２０の構造について詳細に説明する。
【００２１】
仕切壁２０は、全体にわたって断熱材が充填された断熱仕切壁であり、冷蔵庫本体を構成する断熱箱体１１により形成された仕切壁本体３０と、この仕切壁本体３０の前端に取り付けられた仕切り体３２とよりなる。
【００２２】
仕切壁本体３０は、断熱箱体１１を構成する内箱により形成された水平な棚状部３４と、この内箱の棚状部３４の内部に充填発泡された硬質ウレタンよりなる断熱材３５とで構成されている。
【００２３】
仕切り体３２は、断熱箱体１１の前面開口部において左右方向に架設されており、金属製の前板３６と、前板３６の後面に当接配置された冷却サイクルの一部である防露パイプ３８と、防露パイプ３８の背後に配された発泡スチロール製の断熱材４０と、断熱材４０の上下面及び後面を覆う断面略コ字状の合成樹脂製仕切りカバー４２とを備えてなる。
【００２４】
前板３６は、仕切り体３２の前面部をなして、上下の野菜室扉１５及び冷凍室扉１７の背面に取り付けられたガスケット４４と当接するものである。仕切りカバー４２は、前面が開口した内側が空洞の直方体状であり、この空洞状の内側に直方体形状をなす断熱材４０が収納され、前面開口部に前板３６が配されている。
【００２５】
上下の扉１５，１７は、扉正面板４６と扉内板４７との間に発泡ウレタンの断熱材４８を積層一体化してなる断熱扉であり、扉内板４７には、後方に突出して仕切壁２０との間でスロート部４８，５０を形成する凸状部４９が設けられている。
【００２６】
仕切りカバー４２の下部には、扉１７の凸状部４９と当接もしくは接近して仕切り体３２の下側のスロート部５０をシールするヒレ状のシール材５２が取り付けられている。このシール材５２は、仕切りカバー４２の下面に設けられた係止爪５４により係止されている。
【００２７】
シール材５２は、上記係止爪５４に取り付けられる取付基部５２ａと、この取付基部５２ａから前方に延び、扉１７背面の凸状部４９に当接してスロート部５０を塞ぐ前ヒレ５２ｂと、取付基部５２ａから後方に延び、仕切壁本体３０の下面に当接して仕切り体３２の後端部から冷凍室１６内への熱リークを防ぐ後ヒレ５２ｃとからなる。
【００２８】
係止爪５４は、仕切りカバー４２の下面から下方に突出しないように当該下面と略同一平面上に配置されている。詳細には、仕切りカバー４２の下面は、後端部が若干高い段差状に形成されており、係止爪５４は、仕切り体３２の正面から見てアンダーカット形状となるように、前記下面の段差部から後方に向かって水平に突出している。これにより、係止爪５４の内側、即ち上側には、シール材５２の取付基部５２ａが差し込まれる差し込み部５６が設けられており、この差し込み部５６は、仕切りカバー４２の下面一般面よりも上方に形成されている。
【００２９】
図２に示すように、本実施形態では、シール材５２は、仕切壁２０の全幅ではなく、中間仕切２７よりも右側の第２冷凍室１６だけに配されている。また、図３に示すように、このシール材５２を係止する係止爪５４は、仕切り体３２の長手方向に３個設けられている。なお、係止爪５４は、シール材５２の長手方向においてその全長にわたり一体に設けてもよく、また、本実施形態のようにシール材３２の長手方向において複数個に分割して設けてもよい。
【００３０】
図３に示すように、仕切りカバー４２の下面におけるシール材取付部の左右両端には、シール材５２を該取付部に案内するためのガイドリブ５７が設けられており、これにより、シール材５２を取り付ける際の位置決めを容易にしている。
【００３１】
仕切りカバー４２の上面には、図２，４に示すように、左右方向に延びる冷気遮蔽用リブ５８が設けられている。また、図１に示すように、野菜室扉１５の扉内板４７には、冷気遮蔽用リブ５８との間のスロート部４８をシールするヒレ状のシール材６０が取り付けられている。そして、冷気遮蔽用リブ５８は、その長手方向両端部５８ｂに対して中央部５８ａほど漸次に高さが低くなるよう傾斜した形状に形成されている。ここでは、中央部５８ａは両端部５８ｂに対して４ｍｍ程度低く設定されている。
【００３２】
以上よりなる本実施形態の仕切り構造では、仕切りカバー４２の下部に取り付けたシール材５２によって仕切り体３２の下側のスロート部５０がシールされ、また、仕切りカバー４２の上面に設けた冷気遮蔽用リブ５８と扉１５背面のシール材６０とにより仕切り体３２の上側のスロート部４８がシールされる。これにより、仕切り体３２の上下に庫内循環冷気から分離された空気空間が形成されて、ガスケット４４周辺から庫内側への熱リークが効果的に低減される。
【００３３】
そして、この仕切り構造では、仕切りカバー４２の下面から係止爪５４が突出していないため、仕切壁本体３０の断熱材３５の充填発泡時に係止爪５４の後方でも治具で内箱面を押さえることができる。すなわち、仕切壁本体３０内部の断熱材３５を発泡成形する際には、発泡圧による内箱の変形を防止するために、内箱内にはその前面開口部から治具を入れて内箱面を押さえている。その際、係止爪５４が下方に突出していると、その後方に位置する内箱面を治具で押さえることができないが、本実施形態では係止爪５４が突出していないため、係止爪５４の後方の内箱面も治具で押さえることができ、従って、発泡圧による内箱の変形を抑制することができる。
【００３４】
断熱材３５を充填発泡した後に、仕切り体３２にシール材５２を取り付けるが、その際、本実施形態であると、係止爪５２が後向きに設置され、差し込み部５６が後方に開いているため、シール材５２を手前に引いて係止爪５２に取り付けることになる。手前に引く場合、親指以外の４本の指を使うことができるため、取り付け時の力を小さくすることができ、容易に取り付けることができる。
【００３５】
また、本実施形態の仕切り構造であると、シール材５２を係止する係止爪５４が、仕切りカバー４２の下面から突出していないので、突出していた従来の構造に比べて、下側の冷凍室１６内に配された収納容器２８の高さをその分高くすることができ、この収納容器２８の食品収納量を向上することができる。
【００３６】
さらに、本実施形態の仕切り構造では、野菜室１４の収納容器２６の底面が、図２に示すように、食品収納時の負荷によってクリープ変形Ｘして幅方向中央部が垂れ下がってきた場合に、仕切りカバー４２上面の冷気遮断用リブ５８が中央部５８ａで低く設定されているため、従来のように変形量を加味して収納容器の底面を持ち上げていなくても、垂れ下がった収納容器２６の底面が冷気遮蔽用リブ５８に接触しない。そのため、収納容器２６の底面を上記従来に比べて下げることができ、その分食品収納容積を向上することができる。
【００３７】
なお、上記実施形態では、温度帯の異なる冷蔵空間と冷凍空間とを仕切る仕切壁２０における仕切り構造について説明したが、かかる仕切り構造は、冷却空間の前部に仕切り体のみを架設した上記仕切り体２２，２４にも同様に適用することができる。
【００３８】
【発明の効果】
本発明の第１の冷蔵庫の仕切り構造であると、仕切り体下面のシール材を係止する係止爪が、仕切りカバーの下面から突出していないので、仕切り体の下側の冷却室の食品収納量を向上することができ、また、仕切り体の背後に断熱材を充填発泡してなる仕切壁本体を設けた場合、発泡時に係止爪の後方でも治具で内箱面を押さえることができ、発泡圧による内箱の変形を抑制することができる。
【００３９】
本発明の第２の仕切り構造であると、仕切りカバー上面の冷気遮断用リブが冷蔵庫の幅方向中央部で低く設定されているため、上側の冷却室の収納容器の底面が食品収納時の負荷によって垂れ下がってきた場合に、従来のように変形量を加味して収納容器の底面を持ち上げていなくても、垂れ下がった収納容器の底面と仕切り体の冷気遮蔽用リブとの接触を防止することができ、従って、その分収納容器における食品収納容積を向上することができる。
【図面の簡単な説明】
【図１】本発明の一実施形態に係る冷蔵庫の仕切り構造の縦断面図である。
【図２】同仕切り構造を含む冷蔵庫内部の要部正面部である。
【図３】同仕切り構造の仕切り体の底面斜視図である。
【図４】同仕切り体の正面から見た斜視図である。
【図５】冷蔵庫の縦断面図である。
【図６】従来の冷蔵庫の仕切り構造の縦断面図である。
【符号の説明】
２０……仕切壁
２６，２８……収納容器
３０……仕切壁本体
３２……仕切り体
３６……前板
３８……防露パイプ
４０……断熱材
４２……仕切りカバー
４８，５０……スロート部
５２……シール材
５４……係止爪
５６……差し込み部
５８……冷気遮蔽用リブ
６０……シール材
【図１】
0003797850.tif 000002
【図２】
0003797850.tif 000003
【図３】
0003797850.tif 000004
【図４】
0003797850.tif 000005
【図５】
0003797850.tif 000006
【図６】
0003797850.tif 000007